(57)【要約】【課題】  ロック部材３の動作確認を容易に行える地震時ロック装置１を提供する。【解決手段】  本発明の地震時ロック装置１は、前方に開口するボックス本体５２の開口部外面に取り付けられるケーシング２と、地震の時だけロック作動してボックス本体５２に設けられた開き戸５３に係合するようにケーシング２に設けられたロック部材３とを備える。また、ロック部材３を試験的にロック作動させるための操作部材１０がケーシング２に設けられている。【選択図】図３
2013024026.tif 000002
【特許請求の範囲】
【請求項１】
前方に開口するボックス本体の開口部外面に取り付けられるケーシングと、
地震の時だけロック作動して前記ボックス本体に設けられた開き戸に係合するように前記ケーシングに設けられたロック部材とを備えた地震時ロック装置において、
前記ロック部材を試験的にロック作動させるための操作部材が前記ケーシングに設けられていることを特徴とする地震時ロック装置。
【請求項２】
前記操作部材は、前記ケーシングの前面部に露出するように前後移動自在に設けられた押しボタンよりなる請求項１に記載の地震時ロック装置。
【請求項３】
前方に開口するボックス本体と、
このボックス本体の開口部に枢着された開き戸と、
この開き戸を地震の時だけロックするための請求項１又は２に記載の地震時ロック装置と、を備えていることを特徴とする収納ボックス。
【発明の詳細な説明】
【技術分野】
【０００１】  本発明は、地震時ロック装置とこれを有する収納ボックスに関する。
【背景技術】
【０００２】  例えば、食器棚、本棚、タンス、化粧ケース、天袋等の家具に代表される収納ボックスでは、前面が開放されたボックス本体の開口部に開き戸が観音開き状に枢着されている。
上記家具に代表される収納ボックスでは、収納物品の出し入れを頻繁に行うため、一般に施錠装置を設ける場合が少なく、また、施錠装置を設けたとしてもユーザがこれを余り利用しないことが多い。【０００３】  このため、大震度の地震等のため収納ボックスが大きく揺らされると、その揺れによって閉鎖されている扉が開いて食器等の収納物品が外に飛び出し、これによって収納物品が破損したり居住者に当たって負傷することがある。
そこで、地震の揺れに伴って突出するロック部材が収納されたケーシングを収納ボックスの天井面に取り付け、地震でロック作動した上記ロック部材の突出端部で開き戸が開放するのを阻止するようにした、外付けタイプの地震時ロック装置が既に開発されている（特許文献１参照）。
【先行技術文献】
【特許文献】
【０００４】
【特許文献１】  特開平８−３０３０８４号公報
【発明の概要】
【発明が解決しようとする課題】
【０００５】  上記外付けタイプの地震時ロック装置では、地震に伴って収納ボックスが揺れた場合にだけロック部材がロック作動するので、例えば、ユーザがロック部材の動作確認を行うためには、ケーシングを取り付けたボックス本体をユーザが揺らす必要があり、その動作確認を行うのが非常に困難であった。
そこで、本発明の課題は、ロック部材の動作確認を容易に行える地震時ロック装置と、これを有する収納ボックスを提供する点にある。
【課題を解決するための手段】
【０００６】  本発明の地震時ロック装置は、前方に開口するボックス本体の開口部外面に取り付けられるケーシングと、地震の時だけロック作動して前記ボックス本体に設けられた開き戸に係合するように前記ケーシングに設けられたロック部材とを備えた地震時ロック装置において、前記ロック部材を試験的にロック作動させるための操作部材が前記ケーシングに設けられていることを特徴とする。【０００７】  本発明の地震時ロック装置によれば、ロック部材を試験的にロック作動させるための操作部材がケーシングに設けられているので、ユーザがロック部材の動作確認を行う場合には、その操作部材を操作するだけで足り、ケーシングを取り付けたボックス本体をユーザが揺らす必要がない。
従って、従来の外付けタイプの地震時ロック装置に比べて、ロック部材の動作確認を容易に行うことができる。【０００８】  また、本発明の地震時ロック装置によれば、操作部材を操作すればロック部材をロック作動できるので、地震ではない通常時から予めロック部材をロック作動させる使用方法も可能となり、地震時ロック装置の用途が増加するという付加的な効果もある。【０００９】  本発明の地震時ロック装置において、前記操作部材は、前記ケーシングの前面部に露出するように前後移動自在に設けられた押しボタンよりなることが好ましい。
この従属発明によれば、ケーシングの前面部に露出するように設けられた押しボタンを押動操作するだけで、ロック部材をロック作動できる。このため、ユーザの操作性が極めて良好であり、ロック部材をロック作動させる作業が簡便になる。
【発明の効果】
【００１０】  本発明によれば、ロック部材を試験的にロック作動させるための操作部材をケーシングに設けたので、ロック部材の動作確認を容易に行うことができる。
【図面の簡単な説明】
【００１１】
【図１】  本発明の実施形態に係る地震時ロック装置の斜視図である。
【図２】  （ａ）は上記地震時ロック装置の側面図、（ｂ）は同装置の底面図、（ｃ）は同装置の背面図である。
【図３】  上記地震時ロック装置の側面断面図である。
【発明を実施するための形態】
【００１２】  以下、図面に描かれた本発明の実施形態を説明する。
図１及び図２を参照して、この実施形態の地震時ロック装置１は、回動式の扉（開き戸５２）を有する主としてキッチンの天袋よりなる収納ボックス５１（図３参照）に使用されるもので、収納ボックス５の固定側である前方に開口するボックス本体５２の開口部の、外面の一部である下面Ｓ１に取り付けられる。
【００１３】  本実施形態の地震時ロック装置１（以下、「ロック装置１」ということがある。）は、本願出願人が既に出願している特開２００６−２２６０９１号公報に記載の装置と基本的原理が概ね同じものである。
すなわち、図３に示すように、このロック装置１は、ボックス本体５２の下面Ｓ１に固定される合成樹脂製のケーシング２と、このケーシング２内に出退自在に挿通された合成樹脂製のラッチボルトよりなるロック部材３と、を備えている。
【００１４】  また、このロック装置１は、ロック部材３を常時上方へ付勢する第１コイルバネ４と、ロック部材３を予めケーシング２内に保持しておく金属板製の保持部材５と、この保持部材５を常時ロック部材３側へ付勢する第２コイルバネ６と、地震によるボックス本体５２の揺れに伴って移動して保持部材５をロック部材３から解除する金属製のボールよりなる慣性部材７と、を備えている。
【００１５】  ロック部材３は、その上端部だけがケーシング２の上面から突出するよう同ケーシング２の前端部（図３の左端部）に上下方向に出退自在に挿通されている。
第１コイルバネ４は、筒状のロック部材３の内部に収容された状態でケーシング２の底部に当接しており、ロック部材３を常時上方へ付勢している。なお、ロック部材３は上方に突出したときのケーシング２に対する抜け止め部材８を一体に備えている。
【００１６】  図３に示すように、保持部材５は、側面視コ字枠状に形成された金属板材よりなり、ケーシング２内に前後方向（図３の左右方向）に移動自在に収納されている。保持部材５は、その後方側に配置された第２コイルバネ６によってロック部材３側に付勢され、その前端に形成された掛止爪によって同ロック部材３の抜け止め部８を掛止する。
また、慣性部材７は、ケーシング２の内空部における保持部材５の枠内に位置するように配置されている。
【００１７】  本実施形態のロック装置１には、慣性部材７による地震検出感度を向上させるための解除部材９がケーシング２内に設けられている。
この解除部材９は、保持部材５の内部の慣性部材７が前方へ移動しても、その慣性力により保持部材５を後方に移動させるもので、保持部材５に対して分離してケーシング２内に前後揺動自在に設けられた鋼製板材よりなる。
【００１８】  解除部材９の下端片は、保持部材５の下縁部に形成した係合凹部に引っ掛かっており、当該解除部材９の上半部分が慣性部材７によって前方（図３の左側）に押し倒されると、その反動で当該解除部材９の上端片が後方に移動するようになっている。
このため、慣性部材７が揺れで前方（図３の左側）に移動すると、その慣性力によって解除部材９の上半部分が前方に押し倒されるとともに、その反動で保持部材５が後方（図３の右側）に移動し、保持部材５がロック部材３から解除される。
【００１９】  従って、本実施形態のロック装置１では、地震その他の振動によりボックス本体５２が揺れると、慣性部材７が後方に転がって保持部材５に直接衝突するか、前方に転がって解除部材９に衝突し、これらの衝突により、保持部材５のロック部材３に対する掛止状態が解除されて、ロック部材３が第１コイルバネ４によりロック位置に突出するようになっている。
【００２０】  上記地震時ロック装置１によれば、地震のない通常時においては、ロック部材３はケーシング２内に没入していて、開き戸の下端縁よりも低いアンロック位置に保持されている。このため、ロック部材３がアンロック位置にある時は、ユーザは開き戸５３を自由に開閉することができる。
他方、地震によってロック部材３が上方へ突出してロック位置になると、ロック部材３の突出端部が開き戸５３の下端縁よりも上方に位置する。これにより、開き戸５３の開放が阻止され、ボックス本体５２内の物品が外に飛び出るのが未然に防止される。
【００２１】  本実施形態のロック装置１は、更に、ロック部材３を試験的にロック作動させるための操作部材１０を備えている。
図１及び図３に示すように、操作部材１０は、ケーシング２の前面部に露出するように前後移動自在に設けられた押しボタン１１より構成されている。押しボタン１１は、ケーシング２の前壁部に設けた貫通孔１２に前後移動自在に収納され、ケーシング２の内部側に向かって後方に延びる左右一対のアーム部１３を有する。
【００２２】  上記一対のアーム部１３は、ケーシング２内の第１コイルバネ４を間に挟んだ状態で保持部材５の近傍まで延びている。また、両アーム部１３の後端は当接板部１４で互いに連結されており、この当接板部１４は保持部材５の前端縁に当接している。
従って、押しボタン１１を指で押動操作すると、アーム１３と当接板部１４とを介して保持部材５が手動で後方に押し込まれ、保持部材５をロック部材３から解除してロック位置に突出させることができる。
【００２３】  上記構成に係る地震時ロック装置１によれば、ロック部材３を試験的にロック作動させるための操作部材１０がケーシング２に設けられているので、ユーザがロック部材３の動作確認を行う場合には、その操作部材１０を操作するだけで足り、従来のようにケーシング２を取り付けたボックス本体５２をユーザが揺らす必要がない。
従って、従来の外付けタイプの地震時ロック装置１に比べて、ロック部材３の動作確認を容易に行うことができる。
【００２４】  特に、本実施形態で例示する天袋よりなる収納ボックス５１の場合は、ボックス本体５２を揺らすことができないので、従来の外付けタイプの地震時ロック装置１では、動作確認を行うことができない。
この点、本実施形態の地震時ロック装置１では、操作部材１０を操作することでロック部材３をロック作動できるので、取り付け対象が天袋などの強固に固定されたボックスである場合でも、ロック部材３の動作確認を行うことができる。
【００２５】  また、本実施形態の地震時ロック装置１によれば、操作部材１０を操作すればロック部材３をロック作動できるので、地震ではない通常時から予めロック部材３をロック作動させておくという使用方法も可能である。
更に、本実施形態の地震時ロック装置１によれば、操作部材１０が、ケーシング２の前面部に露出するように前後移動自在に設けられた押しボタン１１よりなるので、押しボタン１１を押動操作するだけで、ロック部材３をロック作動できる。このため、ユーザの操作性が極めて良好であり、ロック部材３をロック作動させる作業が簡便である。
【００２６】  なお、本発明は上記実施形態に限定されるものではない。
上記実施形態では、ケーシング２をボックス本体５２の下面Ｓ１に取り付けるタイプのものを例示したが、特許文献１のように、ケーシング２をボックス本体５２の上面に取り付けるタイプのものでも、本発明を適用することができる。
【００２７】  また、本発明において、ロック装置１の内部構造（地震の検出とロック部材３の作動メカニズム）は図例のものに限定されるものではなく、各種の地震時ロック装置に本発明を適用することができる。
【符号の説明】
【００２８】１：地震時ロック装置    ２：ケーシング    ３：ロック部材    １０：操作部材
１１：押しボタン    ５１：収納ボックス    ５２：ボックス本体    ５３：開き戸
【図１】
2013024026.tif 000003
【図２】
2013024026.tif 000004
【図３】
2013024026.tif 000005